(57)【要約】【課題】積極的に内容液を吐出させる操作の前の状態で、ノズルキャップのノズル部の先端吐出口から、内容液が、不用意に且つ勢い良く吐出するのを抑制できるノズルキャップ付きスクイズ容器を提供する。【解決手段】傾倒させることで内容液を吐出させる容器本体１１の口首部１２に、ノズルキャップ１４が取り付けられたノズルキャップ付きスクイズ容器１０であって、ノズルキャップ１４のノズル部１５は、キャップ本体１６の閉塞板部１６ａによって支持されて、口首部１２の内周面から離間した状態で、当該口首部１２の軸方向に沿って、閉塞板部１６ａから吐出方向Ｘの前方側に延設して設けられていると共に、内容液を案内して先端吐出口１５ａから吐出させる吐出ガイド流路１５ｂを内部に備える。閉塞板部１６ａには、吐出ガイド流路１５ｂへの流入口１５ｃの周囲に、複数の突起１７が、閉塞板部１６ａから吐出方向Ｘの後方側に突出して設けられている。【選択図】図２
2015044607.tif 000002
【特許請求の範囲】
【請求項１】
傾倒させることで内容液を吐出させるスクイズ操作が可能な容器本体の口首部に、ノズルキャップが取り付けられたノズルキャップ付きスクイズ容器であって、
前記ノズルキャップのノズル部は、キャップ本体の閉塞板部によって支持されて、前記口首部の内周面から離間した状態で、当該口首部の軸方向に沿って、前記閉塞板部から吐出方向前方側に延設して設けられていると共に、内容液を案内して先端吐出口から吐出させる吐出ガイド流路を内部に備えており、
前記閉塞板部には、前記吐出ガイド流路への流入口の周囲に、複数の突起が、前記閉塞板部から吐出方向後方側に突出して設けられているノズルキャップ付きスクイズ容器。
【請求項２】
前記複数の突起の突出方向先端部における内接円の内径が、前記吐出ガイド流路への流入口の内径と同じか又はこれよりも大きくなっている請求項１記載のノズルキャップ付きスクイズ容器。
【請求項３】
前記複数の突起は、隣接する各一対の突起の間の隙間を、前記複数の突起の外側から内側の前記流入口に向けて徐々に狭くする、外周傾斜面部を備えている請求項１又は２記載のノズルキャップ付きスクイズ容器。
【請求項４】
前記複数の突起は、円形、三角形又は矩形の断面形状を備えている請求項３記載のノズルキャップ付きスクイズ容器。
【請求項５】
前記ノズルキャップは、前記ノズル部の軸方向が、前記容器本体の口首部の軸方向と一致又は略一致するように前記容器本体の口首部に取り付けられている請求項１〜４のいずれか１項記載のノズルキャップ付きスクイズ容器。
【請求項６】
前記容器本体は、前記口首部を、当該容器本体の縦方向中心軸に対して側方に偏心させた位置から、該偏心させた方向とは反対側に傾けて突出させた、首曲がりボトル形状を備えている請求項１〜５のいずれか１項記載のノズルキャップ付きスクイズ容器。
【請求項７】
請求項１〜６のいずれか１項記載のノズルキャップ付きスクイズ容器の前記容器本体に内容液が収容され、前記ノズルキャップのノズル部を覆って蓋キャップが装着された容器製品。
【請求項８】
前記内容液の２５℃における液粘度が２０〜３０００ｍPa・ｓである請求項７記載の容器製品。
【発明の詳細な説明】
【技術分野】
【０００１】
本発明は、ノズルキャップ付きスクイズ容器に関し、特に、傾倒させることで内容液を吐出させるスクイズ操作が可能な容器本体の口首部に、ノズルキャップが取り付けられたノズルキャップ付きスクイズ容器に関する。
【背景技術】
【０００２】
容器本体を傾倒させることでノズル部から内容液を吐出させる容器として、スクイズ容器が知られている。スクイズ容器は、内容液が収容された、可撓性を有する合成樹脂製のボトル形状の容器本体を傾倒させると共に、容器本体の口首部に取り付けられたノズルキャップのノズル部の先端吐出口を吐出箇所に向けた状態で、容器本体の胴部をスクイズ（押圧）することにより、内部の圧力を高めて、内容液を先端吐出口から線状に連続吐出させることが可能である（例えば、特許文献１参照）。
【０００３】
また、容器本体を傾倒させることで内容液を吐出させるスクイズ容器のノズル部は、相当の長を有する吐出ガイド流路を内部に備えており、この吐出ガイド流路を通過させて内容液をノズル部の先端吐出口から吐出させることにより、内容液を、吐出ガイド流路の延長方向に方向付けさせながら、安定した状態で吐出させることが可能である。
【先行技術文献】
【特許文献】
【０００４】
【特許文献１】特開２００８−２４３３９
【発明の概要】
【発明が解決しようとする課題】
【０００５】
一方、容器本体を傾倒させることで内容液を吐出させるスクイズ容器では、内容液を吐出させる際に、容器本体を傾倒させて収容された内容液が口首部に送られると、送られる際の内容液の勢いによって、積極的に内容液を吐出させるスクイズ操作の前の状態においても、不用意に且つ勢い良く、内容液がノズルキャップのノズル部の先端吐出口から吐出して、周囲のものを汚す場合がある。また、スクイズ容器は、口首部の内側領域に送られて当該内側領域に充填された内容液が、可撓性を有する容器本体の胴部を把持した手や指からの圧力を受けることによって、胴部を積極的に押圧していないスクイズ前の状態においても、不用意に且つ勢い良く、内容液をノズルキャップのノズル部の先端吐出口から吐出させて、周囲のものを汚す場合がある。
【０００６】
特に、トイレ掃除用の液体洗剤が収容された容器本体が、例えば洋式便器の開口周縁部の内側張出し段差部に向けて、斜め下方から洗剤を吐出させ易い形状として、いわゆる首曲がりボトル形状を備えるスクイズ容器となっている場合には（図５（ａ）、（ｂ）参照）、容器本体を傾倒させながらノズルキャップのノズル部の先端吐出口を、洋式便器の内側張出し段差差部に向けてゆく操作の途中で、内容液が、不用意に且つ勢い良く先端吐出口から吐出して、洋式便器の外側に飛び出すことがある。
【０００７】
本発明は、傾倒させることで内容液を吐出させるスクイズ操作が可能な容器本体の口首部に取り付けられた、ノズルキャップのノズル部の先端吐出口から、積極的に内容液を吐出させる操作の前の状態で、内容液が、不用意に且つ勢い良く吐出するのを効果的に抑制できるノズルキャップ付きスクイズ容器及び容器製品を提供することを目的とする。
【課題を解決するための手段】
【０００８】
本発明は、傾倒させることで内容液を吐出させるスクイズ操作が可能な容器本体の口首部に、ノズルキャップが取り付けられたノズルキャップ付きスクイズ容器であって、前記ノズルキャップのノズル部は、キャップ本体の閉塞板部によって支持されて、前記口首部の内周面から離間した状態で、当該口首部の軸方向に沿って、前記閉塞板部から吐出方向前方側に延設して設けられていると共に、内容液を案内して先端吐出口から吐出させる吐出ガイド流路を内部に備えており、前記閉塞板部には、前記吐出ガイド流路への流入口の周囲に、複数の突起が、前記閉塞板部から吐出方向後方側に突出して設けられているノズルキャップ付きスクイズ容器を提供することにより、上記目的を達成したものである。
【０００９】
また、本発明は、前記ノズルキャップ付きスクイズ容器の前記容器本体に内容液が収容され、前記ノズルキャップのノズル部を覆って蓋キャップが装着された容器製品を提供することにより、上記目的を達成したものである。
【発明の効果】
【００１０】
本発明のノズルキャップ付きスクイズ容器又は容器製品によれば、傾倒させることで内容液を吐出させるスクイズ操作が可能な容器本体の口首部に取り付けられた、ノズルキャップのノズル部の先端吐出口から、積極的に内容液を吐出させる操作の前の状態で、内容液が、不用意に且つ勢い良く吐出するのを効果的に抑制することができる。
【図面の簡単な説明】
【００１１】
【図１】本発明の好ましい一実施形態に係るノズルキャップ付きスクイズ容器の正面図である。
【図２】ノズルキャップが取り付けられた容器本体の要部断面図である。
【図３】閉塞板部から複数の突起が突出するノズルキャップの底部分の部分拡大斜視図である。
【図４】容器本体を傾倒させることで、ノズル部から内容液を吐出させる状態の要部略示断面図である。
【図５】（ａ）、（ｂ）は、ノズルキャップ付き容器を把持して、ノズル部の先端吐出口を洋式便器の内側張出し段差部に向けてゆく操作を説明する略示斜視図である。
【図６】（ａ）、（ｂ）は、複数の突起の他の形態を例示する要部斜視図である。
【図７】（ａ）、（ｂ）は、複数の突起のさらに他の形態を例示する要部斜視図である。
【発明を実施するための形態】
【００１２】
本発明の好ましい一実施形態に係るノズルキャップ付きスクイズ容器１０は、図１に示すように、内容液として、例えばトイレ掃除用の液体洗剤を収容した合成樹脂製のボトル形状の容器本体１１と、この容器本体１１の口首部１２に取り付けられたノズルキャップ１４とを含んで構成される。また、本実施形態のノズルキャップ付きスクイズ容器１０は、容器本体１１の胴部１３が、表裏一対の正面壁部１３ａを互いに近接させる方向に弾性変形させることが可能な、可撓性を備えている。例えば胴部１３を把持して傾倒させた状態で、一対の正面壁部１３ａを挟み込むようにしてスクイズ（押圧）することで、容器本体１１をスクイズ変形させつつ内部に圧力を加えることによって、ノズルキャップ１４のノズル部１５の先端吐出口１５ａから、内容液を吐出できるようになっている。さらに、本実施形態のノズルキャップ付きスクイズ容器１０は、例えば容器本体１１を傾倒させながら、ノズルキャップ１４のノズル部１５の先端吐出口１５ａを吐出箇所に向けてゆく操作の途中の、胴部１３を積極的に押圧していないスクイズ前の状態で、ノズル部１５の先端吐出口１５ａから、内容液が不用意に且つ勢い良く吐出するのを効果的に抑制できるようにする機能を備えている（図５（ａ）、（ｂ）参照）。
【００１３】
そして、本実施形態のノズルキャップ付きスクイズ容器１０は、図１に示すように、傾倒させることで内容液を吐出させる容器本体１１の口首部１２に、ノズルキャップ１４が取り付けられたスクイズ変形可能な容器であって、ノズルキャップ１４のノズル部１５は、図２に示すように、キャップ本体１６の閉塞板部１６ａによって支持されて、口首部１２の内周面から離間した状態で、当該口首部１２の軸方向に沿って、閉塞板部１６ａから吐出方向Ｘの前方側に延設して設けられていると共に、内容液を案内して先端吐出口１５ａから吐出させる吐出ガイド流路１５ｂを内部に備えている。図３にも示すように、閉塞板部１６ａには、吐出ガイド流路１５ｂへの流入口１５ｃの周囲に、複数の突起１７が、閉塞板部１６ａから吐出方向Ｘの後方側に突出して設けられている。
【００１４】
また、本実施形態では、閉塞板部１６ａから突出する複数の突起１７の突出方向先端部（吐出方向Ｘの後方側の先端部）における内接円Ｓ（図３参照）の内径（直径）Ｄ2が、吐出ガイド流路１５ｂへの流入口１５ｃの内径Ｄ1（図２参照）と同じか又はこれよりも大きくなっている。
【００１５】
本実施形態では、容器本体１１は、例えばポリエチレン、ポリプロピレン、ポリエチレンテレフタレート等の合成樹脂からなるブロー成形品であって、スクイズ変形可能なボトル形状を有している。容器本体１１は、図１に示すように、胴部１３と、口首部１２と、底部２３とからなり、底部２３を載置面に載置することで、立設させた状態で店頭に陳列したり、家庭内で保管したりすることができるようになっている。容器本体１１の胴部１３は、例えば長軸及び短軸を有する扁平な略楕円又は略長円の中空断面形状を有している。容器本体１１の胴部１３は、底部２３とは反対側の上端部分において、その中心位置を胴部１３の縦方向中心軸Ｃから長軸の一方の端部側に偏心させつつ、その中空断面形状を徐々に縮径させた、先絞りの形状の首部１３ｂを有している。また容器本体１１は、図５（ａ）、（ｂ）に示すように、例えば洋式便器５０の開口周縁部の内側張出し段差部５１に向けて斜め下方からトイレ掃除用の液体洗剤を吐出させ易い形状として、いわゆる首曲がりボトル形状を備えている。
【００１６】
すなわち、本実施形態では、容器本体１１は、図１に示すように、首部１３ｂの先端に連続する口首部１２を、胴部１３の縦方向中心軸Ｃに対して側方に偏心させた位置から、この偏心させた方向とは反対側に傾けて突出させた、首曲がりボトル形状を備えている。また、本実施形態では、容器本体１１は、上端部分の先絞り部となっている首部１３ｂにおいて、当該首部１３ｂを偏心させた一方の端部側の側面を、縦方向の断面が外側に凸の滑らかな湾曲面となった、湾曲凸面１３ｃを介して口首部１２の基端部に接合させた形状を備えている。さらに、容器本体１１は、上端部分の先絞り部となっている首部１３ｂにおいて、他方の端部側の側面を、縦方向の断面が内側に凹の滑らかな湾曲面となった、湾曲凹面１３ｄを介して口首部１２の基端部に接合させた形状を備えている。
【００１７】
これによって、容器本体１１は、斜めに傾いた状態で突出する口首部１２が下方に配置されるように、当該容器本体１１を傾倒させた際に（図５（ｂ）参照）、容器本体１１に収容された内容液を、先絞り部となっている首部１３ｂの湾曲凸面１３ｃの稜線部１３ｅの内側面を介して、滑らかに且つスムーズに流下させると共に、ノズルキャップ１４が取り付けられた口首部１２に向けて、勢い良く送り出すことができるようになっている（図４参照）。また、本実施形態では、容器本体１１は、首部１３ｂを胴部１３の縦方向中心軸Ｃに対して片側に傾けて突出させた、首曲がりボトル形状を備えており、底部１７から首部１３ｂにかけて湾曲状の稜線部１３ｅを形成するようになっている。さらに、容器本体１１は、胴部１３の縦方向中心軸Ｃに対して、首曲がり側、もしくは反首曲がり側を把持して使用することで、ボトル内の内容液が、湾曲状の稜線部１３ｅの形状に沿って流動することにより、ノズル部１５に勢いを持って接触するようになっている。
【００１８】
本実施形態では、ノズルキャップ１４は、例えばポリエチレン、ポリプロピレン等の合成樹脂からなる射出成形品であって、図２に示すように、円環状嵌込み係合部１８と、この円環状嵌込み係合部１８の内側壁部１８ａの下方に延設する内筒壁１９と、内筒壁１９の下端部に一体として接合されて、内筒壁１９と共に口首部１２の内側の流出口を閉塞する閉塞板部１６ａとからなるキャップ本体１６と、キャップ本体１６の閉塞板部１６ａによって支持されて、これの中央部分から立設して一体として設けられたノズル部１５を有する。
【００１９】
また、本実施形態では、口首部１２の内側領域に配置される、円環状嵌込み係合部１８の内側壁部１８ａと、内筒壁１９と、閉塞板部１６ａとによって周囲を囲まれて、ノズル部１５の外側には、液溜め凹部２４が、口首部１２の先端開口面１２ａの下方に形成されている。液溜め凹部２４には、例えば容器本体１１を傾倒させると共に、好ましくはスクイズ変形させて、内容液をノズル部１５の先端吐出口１５ａから所定量吐出させた後に、押圧を開放して正立状態に戻した際に、ノズル部１５の外周面を伝って下方に液垂れした内容液が液溜めされる。これによって、ノズル部１５の外周面を伝って液垂れした内容液が、口首部１２の外周面に付着するのを効果的に回避することが可能になる。
【００２０】
円環状嵌込み係合部１８は、内側壁部１８ａと天面壁部１８ｂと外側壁部１８ｃとからなる略コの字断面形状を備えている。外側壁部１８ｃの下端部内周面には、係合凸リブ１８ｄが設けられている。この係合凸リブ１８ｄを、容器本体１１の口首部１２の先端部外周面に設けられた被係合凸リブ１２ｃに係合することによって、口首部１２の先端部を内側壁部１８ａと外側壁部１８ｃとの間に挟み込むと共に、口首部１２の先端面を天面壁部１８ｂの下面に当接させた状態で、ノズルキャップ１４が、容器本体１１の口首部１２に装着固定される。
【００２１】
ノズル部１５は、例えば１〜１０ｍｍ程度の内径を有すると共に、１５〜６０ｍｍ程度の長さを有する、縦長中空の円筒形状部分である。ノズル部１５は、これの内部に軸方向に貫通する吐出ガイド流路１５ｂを備えている。ノズル部１５は、キャップ本体１６の閉塞板部１６ａによって支持されて、これの中央部分から立設していることで、ノズルキャップ１４が容器本体１１の口首部１２に装着固定された状態で、口首部１２の内周面から離間すると共に、当該ノズル部１５の軸方向を、好ましくは容器本体１１の口首部１２の軸方向と一致又は略一致させて配置される。ノズル部１５は、本実施形態では、口首部１２の軸方向に沿って、閉塞板部１６ａから吐出方向Ｘの前方側にのみ延設して設けられている。ノズル部１５の閉塞板部１６ａの下面には、吐出ガイド流路１５ｂへの円形の流入口１５ｃが、例えば１〜１０ｍｍ程度の内径（直径）Ｄ1で開口している。本実施形態では、閉塞板部１６ａの下面に開口する流入口１５ｃの周囲を囲んで、複数の突起１７が、吐出方向Ｘの後方側に突出して設けられている。
【００２２】
本実施形態では、流入口１５ｃの周囲を囲んで設けられた複数の突起１７は、図３にも示すように、例えば１〜１５ｍｍ程度の直径の円形の断面形状備える、円柱状突起となっている。複数の突起１７は、例えば２〜３０ｍｍ程度の高さで閉塞板部１６ａから突出していると共に、好ましくは周方向に等角度の中心間ピッチで、流入口１５ｃの周囲を囲んで、例えば２〜１５本（本実施形態では８本）設けられている。
【００２３】
また、本実施形態では、複数の突起１７は、吐出ガイド流路１５ｂへの流入口１５ｃの開口周縁から外側に僅かに離間した位置から、閉塞板部１６ａに対して垂直下方に突出して各々設けられている（図２参照）。これによって、複数の突起１７の突出方向先端部における内接円Ｓ（図３参照）は、これの内径（直径）Ｄ2が、流入口１５ｃの内径Ｄ1（図２参照）よりも大きくなっている。
【００２４】
複数の突起１７の突出方向先端部における内接円Ｓの内径Ｄ2が、流入口１５ｃの内径Ｄ1と同じか又はこれよりも大きくなっていることにより、吐出時の圧力損失を生じることなく軽い力で内溶液を吐出できるとともに、内容液の一部分が吐出ガイド流路１５ｂへの流入口１５ｃの開口周縁付近の閉塞板部１６ａと衝突することで、ノズル部１５の吐出ガイド流路１５ｂに流入する内容液の勢いや流速を効果的に低減させることが可能になる。
【００２５】
さらに、本実施形態では、複数の突起１７は、円形の断面形状を備える円柱状突起となっているので、各々の突起１７の、流入口１５ｃの中心部を中心とする放射方向外側の略半円の領域の外周面は、隣接する各一対の突起の１７の間の隙間１７ｂを放射方向外側から放射方向内側の流入口１５ｃに向けて狭くする、外周傾斜面部１７ａとして機能することが可能になる。すなわち、複数の突起１７は、円形の断面形状を有していることで、放射方向外側の略半円の領域に、各一対の突起の間の隙間１７ｂを、複数の突起１７の外側から内側の流入口１５ｃに向けて狭くする、弧状に湾曲しながら傾斜する外周傾斜面部１７ａを各々備えることになる。
【００２６】
複数の突起１７が、隣接する各一対の突起１７の間の隙間１７ｂを、複数の突起１７の外側から内側の流入口１５ｃに向けて狭くする、外周傾斜面部１７ａを備えていることにより、容器本体１１の胴部１３を把持してスクイズすることで内容液を吐出させる際に、複数の突起１７で乱流を生じさせることによって、内容液が勢いよく吐出するのを効果的に抑制しつつも、内容液自体は、外周傾斜面部１７ａを介することで、複数の突起１７の外側から内側の流入口１５ｃに流入し易くなる。
【００２７】
本実施形態のノズルキャップ付きスクイズ容器１０は、図２に示すように、スクイズ容器１０を使用していない時に、ノズルキャップ１４のノズル部１５を覆って着脱可能に装着される、蓋キャップ２０を備えている。蓋キャップ２０は、略切頭円錐形状の蓋本体部２１と、蓋本体部２１の下端部から連続して下方に延設する、略円筒形状の装着スカート部２２とからなる。蓋キャップ２０は、例えば装着スカート部２２の内側面に設けられた螺合突条２２ａを、容器本体１１の口首部１２の外周面に設けられた螺合突条１２ｄに螺着することで、蓋本体部２１の天面部内側面によってノズル部１５の先端吐出口１５ａを閉塞した状態で、容器本体１１の口首部１２を覆って取り付けられる。
【００２８】
また、蓋本体部２１の天面部内側面から下方に突出して、インナーリング部２１ａが設けられている。容器本体１１の口首部１２を覆って蓋キャップ２０が取り付けられた際に、インナーリング部２１ａが、ノズル部１５の先端吐出口１５ａの内周縁部に沿って嵌め込まれることで、強固に止水した状態で先端吐出口１５ａを閉塞することが可能になる。さらに、蓋本体部２１の中間部内側面から下方に突出して、当接リング部２１ｂが設けられている。容器本体１１の口首部１２を覆って蓋キャップ２０が取り付けられた際に、当接リング部２１ｂの先端は、ノズルキャップ１４の円環状嵌込み係合部１８の天面壁部１８ｂを挟んで口首部１２の先端面に当接する。これによって、装着スカート部２０が口首部１２に過度に螺着されて、インナーリング部２１ａや、ノズル部１５の先端部が破損するのを、効果的に回避することが可能になる。
【００２９】
本実施形態では、ノズルキャップ付きスクイズ容器１０は、容器本体１１に内容液が収容されると共に、ノズルキャップ１４のノズル部１５を覆って蓋キャップ２０が装着された状態で、容器製品として製品化される。容器本体１１に収容される内容液の２５℃における液粘度は、２０〜３０００ｍPa・ｓであることが好ましく、２０〜５００ｍPa・ｓであることがより好ましく、２０〜１００ｍPa・ｓであることが更に好ましく、３０〜８０ｍPa・ｓであることが特に好ましい。
【００３０】
そして、上述の構成を備えるノズルキャップ付きスクイズ容器１０によれば、傾倒させることで内容液を吐出させる容器本体１１の口首部１２に取り付けられた、ノズルキャップ１４のノズル部１５の先端吐出口１５ａから、積極的に内容液を吐出させる操作の前の状態で、内容液が、不用意に且つ勢い良く吐出するのを効果的に抑制することが可能になる。
【００３１】
すなわち、本実施形態によれば、ノズルキャップ１４のノズル部１５は、閉塞板部１６ａによって支持されて、口首部１２の内周面から離間した状態で閉塞板部１６ａから吐出方向Ｘの前方側に延設して設けられていると共に、吐出ガイド流路１５ｂを内部に備えており、閉塞板部１６ａには、吐出ガイド流路１５ｂへの流入口１５ｃの周囲に、複数の突起１７が、閉塞板部１６ａから吐出方向Ｘの後方側に突出して設けられている。
【００３２】
したがって、本実施形態のノズルキャップ付きスクイズ容器１０によれば、図４に示すように、容器本体１１を傾倒させることで内容液を吐出させる際に、容器本体１１を傾倒させるのに伴って、内容液が勢い良く口首部１２及びノズル部１５に向けて送り出されたとしても、送り出された内容液は、吐出ガイド流路１５ｂへの流入口１５ｃの周囲を囲んで設けられた複数の突起１７に遮られることで、ノズル部１５の流入口１５ｃに直接的に流入し難くなるので、ノズル部１５の吐出ガイド流路１５ｂに流入する内容液の勢いや流速を、効果的に低減することが可能になる。
【００３３】
また、ノズル部１５に向けて送り出された内容液は、複数の突起１７の突出方向先端部の内接円部分や、隣接する各一対の突起１７の間の隙間１７ｂを介して、複数の突起１７によって囲まれる内側領域に流入した後に、流入口１５ｃを介して吐出ガイド流路１５ｂへ流入してゆくことになる。複数の突起１７によって囲まれる内側領域に流入した内容液は、突出方向先端部の内接円部分や、複数の隣接する突起１７の間の隙間１７ｂから流入する内容液同士の衝突、及び別の隙間１７ｂへのすり抜け等によって、複数の突起１７によって囲まれる内側領域やこれの周囲には、複雑な内容液の流れが生じることになる。また複数の突起１７の突出方向先端部の内接円部分から流入した内容液は、複数の隣接する突起１７の間の隙間１７ｂを介して、内側領域の外側に流れ出ることが可能なので、ノズル部１５の吐出ガイド流路１５ｂに流入する内容液の勢いや流速を、さらに効果的に低減することが可能になる。
【００３４】
これらによって、本実施形態のノズルキャップ付きスクイズ容器１０によれば、内容液を吐出させる際に、容器本体１１を傾倒させて口首部１２の内側領域に送られた内容液が、積極的に内容液を吐出させる操作の前の状態で、不用意に且つ勢い良くノズル部１５の先端吐出口１５ａから吐出して、周囲のものを汚すことになるのを、効果的に回避することが可能になる。
【００３５】
特に、本実施形態では、容器本体１１が、例えば洋式便器５０の開口周縁部の内側張出し段差部５１に向けて、斜め下方から洗剤を吐出させ易い形状として（図５（ａ）、（ｂ）参照）、いわゆる首曲がりボトル形状を備えるスクイズ容器となっている。また、斜めに傾いた状態で突出する口首部１２が下方に配置されるように、当該容器本体１１を傾倒させた際に、容器本体１１に収容された内容液が、先絞り部１３ｂの湾曲凸面１３ｃの内側面を介して滑らかに且つスムーズに流下して、口首部１２に向けて、さらに勢い良く送り出されるようになっている。さらに、容器本体１１は、首部１３ｂを胴部１３の縦方向中心軸Ｃに対して片側に傾けて突出させた、首曲がりボトル形状を備えており、底部１７から首部１３ｂにかけて湾曲状の稜線部１３ｅを形成するようになっている。さらにまた、容器本体１１は、胴部１３の縦方向中心軸Ｃに対して、首曲がり側、もしくは反首曲がり側を把持して使用することで、ボトル内の内容液が、湾曲状の稜線部１３ｅの形状に沿って流動することにより、ノズル部１５に勢いを持って接触するようになっている。
【００３６】
しかしながら、本実施形態によれば、ノズルキャップ１４は、上述のような構成を備えているので、容器本体１１を傾倒させながらノズルキャップ１４のノズル部１５の先端吐出口１５ａを、洋式便器５０の内側張出し段差差部５１に向けてゆく操作の途中で、内容液が、不用意に且つ勢い良く先端吐出口１５ａから吐出して、洋式便器５０の外側に飛び出すのを効果的に回避することが可能になる。また、ノズルキャップ１４は、上述のような構成を備えているので、可撓性を有する容器本体１１の胴部１３を把持した手や指からの圧力を受けることによって、胴部１３を積極的に押圧していないスクイズ前の状態で、内容液が、不用意に且つ勢い良く先端吐出口１５ａから吐出して、洋式便器５０の外側に飛び出すのを効果的に回避することが可能になる。
【００３７】
図６（ａ）、（ｂ）は、ノズルキャップ１４の閉塞板部１６ａに形成された吐出ガイド流路１５ｂへの流入口１５ｃの周囲に設けられる、複数の突起の他の形態を例示するものである。図６（ａ）の突起１７’は、三角形の断面形状として、好ましくは２等辺三角形の断面形状を備える三角柱状突起となっている。三角柱状突起１７’は、その頂部を流入口１５ｃの中心部を中心とする放射方向外側に、底辺部を放射方向内側に配置して、流入口１５ｃの周囲に等角度の中心間ピッチで複数本設けられている。これによって、三角柱状突起１７’の両側の斜辺部は、隣接する各一対の突起１７’の間の隙間１７ｂ’を、複数の突起１７’の外側から内側の流入口１５ｃに向けて狭くする、外周傾斜面部１７ａ’として機能するようになっている。
【００３８】
図６（ｂ）の突起１７”は、円柱状突起となっている。図６（ｂ）の円柱状突起１７”は、流入口１５ｃの周囲を囲んで複数本設けられている。各々の円柱状突起１７”は、突出基端部において流入口１５ｃの開口周縁から外側に相当程度離間した位置から、突出方向先端部に向けて、内側に傾斜した状態で突出して設けられている。複数の突起１７”は、これらの突出方向先端部における内接円Ｓ”の内径が、流入口１５ｃの内径Ｄ1と同じか又はこれよりも大きくなっている状態を保持して設けられている。
【００３９】
図６（ａ）、（ｂ）に示す複数の突起１７’，１７”が設けられたノズルキャップ１４を備えるノズルキャップ付きスクイズ容器によっても、上記本実施形態のノズルキャップ付きスクイズ容器１０と同様の作用効果が奏される。
【００４０】
なお、本発明は上記実施形態に限定されることなく種々の変更が可能である。例えば、吐出ガイド流路への流入口の周囲に設けられる複数の突起は、円形又は三角形の断面形状を備えている必要は必ずしも無く、図７（ａ）、（ｂ）に示すような平板形状等の矩形の断面形状を備える突起等、種々の断面形状を備える突起であっても良い。複数の突起は、流入口の周囲に配置されて、２箇所又は３箇所以上突出して設けられていれば良い。複数の突起の突出方向先端部における内接円は、真円である必要は必ずしも無く、略円形や楕円形等、複数の突起の突出方向先端部に内接させるのに適した形状を採用することができる。内接円が真円でない場合の内径（直径）は、断面２次半径の２倍である。容器本体は、首曲がりボトル形状を備えている必要は必ずしもない。容器本体に収容される内容液は、トイレ掃除用の液体洗剤の他、その他の液体洗剤や食用の液体等の、種々の内容液であっても良い。
【符号の説明】
【００４１】
１０  ノズルキャップ付きスクイズ容器
１１  容器本体
１２  口首部
１２ａ  先端開口面
１２ｂ  基端開口面
１３  胴部
１３ａ  正面壁部
１３ｂ  首部（先絞り部）
１３ｃ  湾曲凸面
１３ｄ  湾曲凹面
１３ｅ  湾曲状の稜線部
１４  ノズルキャップ
１５  ノズル部
１５ａ  先端吐出口
１５ｂ  吐出ガイド流路
１５ｃ  流入口
１６  キャップ本体
１６ａ  閉塞板部
１７，１７’，１７”  突起
１７ａ，１７ａ’  外周傾斜面部
１７ｂ，１７ｂ’  隣接する各一対の突起の間の隙間
１８  円環状嵌込み係合部
１９  内筒壁
２０  蓋キャップ
Ｃ    縦方向中心軸
Ｓ，Ｓ’  内接円
Ｘ    吐出方向
【図１】
2015044607.tif 000003
【図２】
2015044607.tif 000004
【図３】
2015044607.tif 000005
【図４】
2015044607.tif 000006
【図５】
2015044607.tif 000007
【図６】
2015044607.tif 000008
【図７】
2015044607.tif 000009